(57)【要約】【課題】缶の縁が邪魔をして残り少なくなった粉ミルクを最後まで使い切るのは困難であったが、缶の口元の縁を避けるように粉ミルク排出路を形成することにより、簡単且つスムーズに最後まで粉ミルクを使い切ることを可能とする。【解決手段】薄く柔軟なしかも可撓性を有する素材を用いて長方形シート状に形成したガイド本体９の誘い込み側端部１０にマグネット６を固定して取り付けガイド１ａを構成する。ガイド本体９の排出側端部１１の両側を接続してガイド本体９の排出側を環状に形成する。取り付けガイド１ａの誘い込み側端部１０が缶の側壁内面に密着するように、取り付けガイド１ａを缶の縁に載せて取り付ける。【選択図】図２１
2010235207.tif 000002
【特許請求の範囲】
【請求項１】
開口部に内向きの縁が形成されている粉ミルクなどの缶から、残り少なくなった粉ミルク等をスムーズに取り出すことができる取り出しガイドであって、
樹脂等で形成された柔軟なシート状のガイド本体と、このガイド本体の誘い込み側端部を前記缶の側壁内面に密着させる密着手段と、を備え、
前記密着手段は、前記ガイド本体の誘い込み側端部の表面に取り付けられて前記缶の側壁内面に引き寄せられるマグネットであり、
前記ガイド本体の前記誘い込み側端部を前記缶の前記側壁内面に密着させて、前記ガイド本体の排出側を、前記缶の前記内向きの縁に載せた状態とすることができるように形成されている、ことを特徴とする取り出しガイド。
【請求項２】
前記密着手段として、前記ガイド本体の前記誘い込み側端部の表面に取り付けられたマグネットに代えて、前記ガイド本体の前記排出側の裏面に設けられた取り付け把持部を用い、この取り付け把持部を、前記缶の前記内向きの縁に取り付けられて、前記誘い込み側が前記側壁内面側に傾く状態で前記ガイド本体を支持するように形成した、ことを特徴とする請求項１記載の取り付けガイド。
【請求項３】
前記ガイド本体の前記排出側を、表面が内側となるような環状に変形させて保持することができ、かつ、環状の変形を解除できるように形成されている、ことを特徴とする請求項１又は２記載の取り出しガイド。
【請求項４】
前記ガイド本体の前記排出側を環状に変形させると、前記誘い込み側端部も湾曲するように形成されている、ことを特徴とする請求項３記載の取り出しガイド。
【請求項５】
前記ガイド本体の排出側が予めＵ字状、Ｖ字状又は環状に形成されている、ことを特徴とする請求項１又は２記載の取り出しガイド。
【発明の詳細な説明】
【技術分野】
【０００１】
本発明は、缶に入った粉ミルク等を缶の縁に遮られる事無く最後まで取り出し易くする為のものである。すなわち、粉ミルク等を最後まで使い切る事の出来る粉ミルク等取り出しガイドに関する。
【背景技術】
【０００２】
缶に入った粉ミルクにおいて、粉ミルクの量が残り少なくなった時にスプーン等ではなかなかすくう事は出来ない。また、缶の口元には縁（ツバ）が付いている構造の為、缶を斜めにしても縁に粉ミルクが遮られてしまい最後まで粉ミルクを使い切るのは困難を強いられている。また、メーカー等に使い易いように改善して欲しいという要望も寄せられているとの事（非特許文献１、非特許文献2参照）。
【先行技術文献】
【非特許文献】
【０００３】
【非特許文献１】http://www.cuusoo.com/voice/user/17777/5/「便利なミルク缶欲しい！」参照
【０００４】
【非特許文献２】http://detail.chiebukuro.yahoo.co.jp/qa/question_detail/q1412102229「ミルク缶を最後まで使い切る方法教えて下さい。」参照
【発明の概要】
【発明が解決しようとする課題】
【０００５】
粉ミルクの入った缶は口元に縁がある構造の為、残り少なくなった粉ミルクを使い切るのはスプーンを使っても缶を斜めして取り出そうとしても、最後まで粉ミルクを使い切るのはとても困難である。
【課題を解決するための手段】
【０００６】
粉ミルク缶等の口元の縁を避ける様に粉ミルク等取り出しガイドを取り付け設ける事により、残り少なくなった粉ミルクを缶の縁に遮られること無く簡単に素早く最後まで使い切る事を可能とするものである。あるいは、粉ミルクの缶等の口元の縁に粉ミルク等の取り出しガイドを取り付け設ける事により、残り少なくなった粉ミルク等を缶の縁に遮られること無く簡単に素早く最後まで使い切る事を可能とするものである。そして、本発明に係る取り出しガイド（粉ミルク等取り出しガイド）は、開口部に内向きの縁が形成されている粉ミルクなどの缶から、残り少なくなった粉ミルク等をスムーズに取り出すことができる取り出しガイドであって、樹脂等で形成された柔軟な又は可撓性を有する、あるいは柔軟で可撓性を有するシート状のガイド本体と、このガイド本体の誘い込み側（長さ方向一方側）端部を前記缶の側壁内面に密着させる密着手段と、を備え、前記密着手段は、前記ガイド本体の誘い込み側端部の表面に取り付けられて前記缶の側壁内面に引き寄せられるマグネットであり、前記ガイド本体の前記誘い込み側端部を前記缶の前記側壁内面に密着させて、前記ガイド本体の排出側（長さ方向他方側）を、前記缶の前記内向きの縁に載せた状態とすることができるように形成されているものである。ガイド本体は薄くかつ粉ミルク等が滑りやすい素材で形成できる。本発明の取り出しガイドでは、密着手段として、ガイド本体の誘い込み側端部の表面に取り付けられたマグネットに代えて、ガイド本体の排出側の裏面に設けられた取り付け把持部を用い、この取り付け把持部を、缶の内向きの縁に取り付けられて、誘い込み側が側壁内面側に傾く状態でガイド本体を支持するように形成しておくことができる。そして、ガイド本体の排出側を、表面が内側となるような環状に変形させて保持することができ、かつ、環状の変形を解除できるように形成しておくのが好ましい。ここでは、ガイド本体の排出側を環状に変形させると、誘い込み側端部も湾曲するように形成しておくことが効果的である。あるいは、ガイド本体の排出側を予めＵ字状、Ｖ字状又は環状に形成しておいてもよい。
ところで、本発明の粉ミルク取り出しガイド（取り出しガイド）は、粉ミルクなどの缶の縁等を利用して簡単に粉ミルクの缶に脱着出来る構造を持つ樹脂又はゴム材又は磁石等でできた粉ミルク缶取り付け把持部（取り付け把持部）２を有する粉ミルク取り出しガイド（取り出しガイド）１であって、缶の縁を避けて誘い込み口側となる一方を缶の内面に押し当てる様に角度を付けて粉ミルク等の缶に取り付けて使用し、少なくとも缶内面と接する部分ａを薄く柔軟に富み粉ミルク等が滑りやすい素材を使用する事により湾曲した缶の内面に隙間無く密着可能となり、残り少なくなった粉ミルク５等が缶の縁４に遮られる事無く粉ミルク取り出しガイド（取り出しガイド）１の上面を粉ミルク５等が滑り出る事により最後までスムーズに粉ミルク等を缶から取り出し使い切ることを可能とした粉ミルク取り出しガイド（取り出しガイド）として構成できる。
あるいは、本発明の粉ミルク取り出しガイド（取り出しガイド）は、粉ミルクなどの缶の縁を避けるように取り付けて残り少なくなった粉ミルク等をスムーズに粉ミルク缶等から取り出す事を可能とする粉ミルク取り出しガイド（取り出しガイド）であって、薄く柔軟に富んだ樹脂等の素材で出来た粉ミルク取り出しガイド（取り出しガイド）１ａの粉ミルク缶等の側面内側に接する部分ａ近くにマグネット７を施し粉ミルク缶等に取り付ける構造を持たせ、薄く柔軟に富んだ樹脂等の素材との作用により、メーカーを問わず更には大小の缶にも対応して粉ミルク缶等の側面内側に接する部分aに隙間無く取り付ける事の出来る粉ミルク取り出しガイド（取り出しガイド）として構成できる。なお、マグネットの種類、大きさ、形状、個数、取り付け位置は限定せず、粉ミルク取り出しガイド（取り出しガイド）とマグネットの固定方法は接着剤、粘着剤、樹脂等を被せての接着や超音波溶着等接続方法は問うものではない。
本発明の粉ミルク取り出しガイド（取り出しガイド）では、使用時に粉ミルク取り出しガイド（取り出しガイド）１、１ａの排出口部（排出側）を筒状（環状）に折り曲げ、切り込み又はボタン又は面ファスナー又は粘着剤等で筒状（環状）の状態に固定出来る構造を持ち、缶の中の粉ミルク等を哺乳瓶やスプーン等の他の入れ物に溢さずに入れ易くする事ができ、未使用時には本製品を洗い易くまた収納時にも場所を取らないように粉ミルク取り出しガイド（取り出しガイド）１、１ａの排出口部（排出側）の筒状部（環状部）を再び開く事の出来る構造を持つように構成できる。
また、本発明の粉ミルク取り出しガイド（取り出しガイド）では、予め、粉ミルク取り出しガイド（取り出しガイド）１、１ａの排出口部（排出側）がU字又はV字又は筒状（環状）等、粉ミルク等が注ぎ易い形状に成型されているものとして構成できる。
【発明の効果】
【０００７】
本発明の粉ミルク等取り出しガイドを、粉ミルク缶等の口元の縁を避ける様に取り付ける事により、あるいは、粉ミルク缶等の口元に取り付けることにより、粉ミルク缶等の縁に遮られること無く簡単に最後まで粉ミルクを使い切る事が可能となる。
【図面の簡単な説明】
【０００８】
【図１】市販されている粉ミルクの缶容器の一例を示す図である。
【図２】市販されている粉ミルクの缶容器の一例を示す別の図（図１と実質的に同一の図）である。
【図３】残り少なくなった粉ミルクが入った粉ミルク缶の断面図である。
【図４】本発明の粉ミルク取り出しガイド全体斜視図（粉ミルク缶取り付け把持部仕様）である。
【図５】本発明の粉ミルク取り出しガイドの別の全体斜視図（粉ミルク缶取り付け把持部仕様で図４と実質的に同一の図）である。
【図６】本製品をミルク缶取り付け把持部にて粉ミルク缶に取り付けた状態の断面図（ミルク缶取り付け把持部仕様）である。
【図７】図６の粉ミルク取り出しガイドから粉ミルクが排出される状態を示す図である。
【図８】実際に本製品を粉ミルク缶に取り付けた状態（粉ミルク缶取り付け把持部仕様）を示す図である。
【図９】実際に本製品を粉ミルク缶に取り付けた状態（粉ミルク缶取り付け把持部仕様）を示す別の図（図８と実質的に同一の図）である。
【図１０】実際に本製品を粉ミルク缶に取り付けた状態（粉ミルク缶取り付け把持部仕様）を示す前方上側から見た図である。
【図１１】実際に本製品を粉ミルク缶に取り付けた状態（粉ミルク缶取り付け把持部仕様）を示す前方上側から見た別の図（図１０と実質的に同一の図）である。
【図１２】図４の粉ミルク取り出しガイドの変形例を示す図である。
【図１３】図４の粉ミルク取り出しガイドの変形例を示す別の図（図１２と実質的に同一の図）である。
【図１４】図４の粉ミルク取り出しガイドの排出口部（排出側）を展開し開いた状態を示す裏面図である。
【図１５】図４の粉ミルク取り出しガイドの排出口部（排出側）を展開し開いた状態を示す別の図（図１４と実質的に同一の図）である。
【図１６】取り出しガイドの排出側部の拡大図（変形例）である。
【図１７】ガイド本体の排出側（変形例）を環状に形成する際の第１の嵌め合わせ部と第２の嵌め合わせ部との嵌め合わせ状態を説明する図である。
【図１８】粉ミルク缶取り付け把持部の一例を示す図である。
【図１９】本製品をマグネットにて粉ミルク缶に取り付けた状態の断面図（マグネット仕様）である。
【図２０】図１９、図２２の粉ミルク取り出しガイドの排出口部（排出側）を展開し開いた状態を示す表側から見た図である。
【図２１】図１９、図２２の粉ミルク取り出しガイドの排出口部（排出側）を展開し開いた状態を示す別の表側から見た図（図２０と実質的に同一の図）である。
【図２２】本発明の粉ミルク取り出しガイド全体斜視図（マグネット仕様）である。
【図２３】本発明の粉ミルク取り出しガイドの別の全体斜視図（マグネット仕様で図２２と実質的に同一の図）である。
【図２４】実際に本製品を粉ミルク缶に取り付けた状態（マグネット仕様）を示す図である。
【図２５】実際に本製品を粉ミルク缶に取り付けた状態（マグネット仕様）を示す別の図（図２４と実質的に同一の図）である。
【図２６】実際に本製品（マグネット仕様）を粉ミルク缶に取り付け粉ミルクが排出される様子を示す図である。
【図２７】実際に本製品（マグネット仕様）を粉ミルク缶に取り付け粉ミルクが排出される様子を示す別の図（図２６と実質的に同一の図）である。
【図２８】マグネットの取り付け構造を示す図である。
【図２９】取り出しガイド（取り付け把持部仕様）の誘い込み側端部と缶の側壁内面との密着状態を示す図である。
【図３０】取り出しガイド（マグネット仕様）の誘い込み側端部と缶の側壁内面との密着状態を示す図である。
【発明を実施するための形態】
【０００９】
残り少なくなり缶から取り出し難くなった粉ミルクを簡単かつ確実に使い切る事の出来る粉ミルク取り出しガイドを製造コストを抑えられる簡単な構造で実現出来る為に安価での提供を可能とした。
【００１０】
以下、本発明の実施の形態を図面に基づき説明する。
（実施の形態１）
図１及び図２の様に粉ミルクの缶３の開口部（口元）７に有る縁（内向きの縁）４はかなり高くなっている構造の為に残り少なくなった粉ミルクは取り出し難くなってしまう。
【００１１】
図３は粉ミルク缶３の断面図であり、この様に縁４が高くなる構造の為に残り少なくなった粉ミルク５を取り出す際に其の縁４が邪魔をし、最後まで粉ミルク５を使い切るのは困難を要する。
【００１２】
図４及び図５は本発明の粉ミルク取り出しガイド１であり、粉ミルク缶取り付け把持部２を缶３の一部（例えば缶３の縁４等あるいは缶３の縁４）を利用して取り付けて使用する。
【００１３】
図６は本発明の粉ミルク取り出しガイド１を粉ミルク缶３に取り付けた状態の断面図である。取り付けた際に粉ミルク取り出しガイド１が粉ミルク５を取り出し易い位置と角度に設定されている。且つ缶３の側壁内面８との接触面（誘い込み側端部面）は薄く幅の広い柔軟な素材を使用する事により、缶側壁内面８の曲面に隙間無く密着させ（ａ部）取り付ける事を可能とした。すなわち、取り出しガイド１は、薄く柔軟なしかも例えば可撓性を有する素材（例えばポリプロピレンなどの樹脂材料）を用いて長方形シート状に形成されたガイド本体９から構成され、ガイド本体９の排出側端部１１の両側が接続されて（ｂ部）、ガイド本体９の排出側は、表面ｃを内側とする環状に形成され（ガイド本体９の弾性復帰力により環状に保持される）、ガイド本体９の誘い込み側端部１０は緩く湾曲している（図４及び図５参照）。ガイド本体９の排出側の接続構造を説明すると、ガイド本体９の排出側端部１１の幅方向一端部には、第１の係合突部３６を有する第１の嵌め合わせ部３７が形成され、ガイド本体９の排出側端部１１の幅方向他端部には、第２の係合突部３８を有する第２の嵌め合わせ部３９が形成され、この第１の係合突部３６と、第２の係合突部３８とを引っ掛かり合わせ又は絡ませることにより、ガイド本体９の排出側端部１１の両側が接続されている（図１４及び図１５参照）。図１６及び図１７に示す変形例を参照してガイド本体９の排出側の接続構造を詳しく説明すると、ガイド本体９の排出側端部１１の幅方向一端縁１２は、幅方向に延びる直線状の第１の段部１３が形成されるように一段低く形成され、排出側端部１１のこの幅方向一端縁１２には、第１の段部１３に隣接して狭い第１の入り口１４が設けられ、この第１の入り口１４の内側に広い第１の係合凹部１５が形成されていて、第１の入り口１４と第１の係合凹部１５とが第１の嵌め合わせ部１８を構成している。第１の嵌め合わせ部１８の反排出側（誘い込み側）は、第１の段部１３を延長して幅方向に直線状に延びるように形成され、第１の係合凹部１５の排出側は半円状又はほぼ半円状に形成されていて、第１の入り口１４の排出側には第１の係合突部１９が形成されている。ガイド本体９の排出側端縁の幅方向他端部２１は、反排出側に向かって幅方向他方側に傾斜して延びる直線状の第２の段部２２が形成されるように一段低く形成され、排出側端縁のこの幅方向他端部２１には、第２の段部２２に隣接して狭い第２の入り口２３が設けられ、この第２の入り口２３の内側に広い第２の係合凹部２４が形成されていて、第２の入り口２３と第２の係合凹部２４とが第２の嵌め合わせ部２５を構成している。第２の嵌め合わせ部２５の幅方向一方側は、第２の段部２２を延長して反排出側に向かって幅方向他方側に傾斜して直線状に延びるように形成され、第２の係合凹部２５の幅方向他方側は半円状又はほぼ半円状に形成されていて、第２の入り口２３の幅方向他方側には第２の係合突部２６が形成されている。そして、排出側端縁部の幅方向一端部２７が、第２の段部２２箇所の上側に被さり、排出側端部１１の幅方向他端部２８が第１の段部１３箇所の上側に被さるように、第１の係合突部１９と第２の係合突部２６とを引っ掛かり合わせ又は絡ませる（図１７Ａ）。あるいは、排出側端縁部の幅方向一端部２７が第２の段部２２箇所の下側にもぐりこみ、排出側端部１１の幅方向他端部２８が第１の段部１３箇所の下側にもぐりこむように、第１の係合突部１９と第２の係合突部２６とを引っ掛かり合わせ又は絡ませる（図１７Ｂ）。
取り付け把持部２は、固定用基部２９と、この固定用基部２９に一体的に形成された一対の挟み部３０、３０を有して断面長方形状又は正方形状に形成され、ガイド本体９の裏面ｄとの接着面が誘い込み側に向かって下降するように形成されている（図１８Ａも参照）。したがって、缶３の縁４が挟み部３０、３０で挟まれた状態で取り付け把持部２が缶３の縁４に取り付けられると、ガイド本体９の誘い込み側端部１０は缶３の側壁内面８に密着する。あるいは、取り付け把持部２を、固定用基部３１と、この固定用基部３１に一体的に形成された一対の挟み部３２、３２を有して断面T字状に形成され、ガイド本体９の裏面ｄとの接着面が誘い込み側に向かって下降するように形成されているものとすることもできる（図１８Ｂ参照）。なお、図１８では、取り付け把持部２の、ガイド本体９の裏面ｄとの接着面を、誘い込み側に向かって下降するように形成していない状態で示している。
【００１４】
図７は本発明の粉ミルク取り出しガイド１を粉ミルク缶３に取り付けた状態の断面図である。粉ミルク取り出しガイド１を缶３の縁４を避けて缶内面８の曲面に隙間無く取り付ける事を可能とした事によりに残り少なくなった粉ミルクを缶３の縁４に遮られること無く簡単に素早く最後まで使い切るの事を可能とした。
【００１５】
図８及び図９は実際に本製品１を粉ミルク缶３に取り付けた状態の斜め前から見た図である。缶３を傾けたりして哺乳瓶や他の入れ物等に粉ミルク５を移し換える事が出来る。
【００１６】
図１０及び図１１は実際に本製品１を粉ミルク缶取り付け把持部２にて粉ミルク缶３に取り付けた状態の上方前側から見た図で、缶３の内面８に隙間無く粉ミルク取り出しガイド１が密着している様子が見て取れる。すなわち、図２９に示すように、取り出しガイド１の誘い込み側端部１０は缶３の側壁内面８に全幅にわたって密着し、取り付けガイド１により、缶３の側壁内面８から縁４を越えて外側に延びる排出路が形成される。ここでは、取り付けガイド１は、取り付け把持部２により容易にずれないように缶３に取り付けられる。
【００１７】
図１２及び図１３は粉ミルク取り出しガイド１の変形例である。変形例Ａではガイド本体９の排出側は予め一体的に環状に形成されている。また、変形例Ｂではガイド本体９の排出側は断面V字状に形成されている。この様に様々な形状にも対応できる。
【００１８】
図１４及び図１５は排出口部（排出側）の筒状部（環状部）を開閉できる構造を持つ粉ミルク取り出しガイド１の開いた状態の斜視図であり、裏面ｄ側から見た図である。洗い易く収納もし易くなる。図１６は取り出しガイド１の第１の嵌め合わせ部３７及び第２の嵌め合わせ部３９の若干の変形例を示す排出側部の拡大図であり、表面ｃ側から見た図であって、第１の嵌め合わせ部１８及び第２の嵌め合わせ部２５の構成を示すための図、すなわち、取り出しガイド１の第１の嵌め合わせ部３７及び第２の嵌め合わせ部３９をそれぞれ第１の嵌め合わせ部１８及び第２の嵌め合わせ部２５に変形した場合を示すための図であり、また、取り出しガイド１ａの排出側部の拡大図である。図１７はガイド本体９の排出側を環状に形成する際の第１の嵌め合わせ部１８と第２の嵌め合わせ部２５との嵌め合わせ状態を示す図である。容易かつ確実に排出側を環状に変形させ、また、変形を解除できることが見て取れる。図１７Ａは、図２２乃至図２７の嵌め合わせ状態を説明する図である。図１７Ｂは、図４、図５、図８、図９、図１０及び図１１の嵌め合わせ状態を理解するための参考図である。
【００１９】
図１８は粉ミルク缶取り付け把持部２の一例であり、缶３の縁等又は缶３の縁４にはめ込んで又は嵌め付けて粉ミルク取り出しガイド１を固定するためのものである。また、磁石等を利用して缶３に固定する方法等も考えられる。
【００２０】
図１９は本発明の別の粉ミルク取り出しガイド１ａを粉ミルク缶３に取り付けた状態の断面図である。缶３の縁４を避けて取り付け、薄く幅の広い柔軟な素材を使用しマグネット６で缶３に固定する事により、缶内面８の曲面に隙間無く密着させ（a部）取り付ける事を可能とした。
【００２１】
図２０及び図２１はマグネット仕様の粉ミルク取り出しガイド１ａの排出口部（排出側）の筒状部（環状部）を開いた状態の斜視図であり、裏面ｃ側から見た図である。洗い易く収納もし易くなる。また、マグネット６を利用して冷蔵庫の扉やレンジ台の側面等に本製品を欠くさない様に付けておく事も可能である。取り出しガイド１ａは、第１の嵌め合わせ部１８及び第２の嵌め合わせ部２５を有するガイド本体９（図１６に示すガイド本体９）から取り付け把持部２を省略し、ガイド本体９の誘い込み側端部１０の表面にマグネット６を取り付けて構成されている。すなわち、取り出しガイド１ａは、第1の嵌め合わせ部１８及び第２の嵌め合わせ部２５を有するガイド本体９と、このガイド本体９の誘い込み側端部１０の表面に幅方向に間隔を有して取り付けられた２つのマグネット６と、を備えている。例えば、取り出しガイド１ａでは、取り出しガイド１の寸法を若干変更したガイド本体９を用いることができる。マグネット６は、ハット状の、ポリプロピレン等の樹脂製である、取り付け部材３３を用いて誘い込み側端部１０の表面に取り付けられる。図２８に示すように、取り付け部材３３は、収容部３４と、収容部３４の下端部に一体的に形成された外向きフランジ状の固定部３５と、を備えて一体的に構成され、収容部３４内にマグネット６を収容した状態で、例えば固定部３５が溶着により又は接着剤を用いて誘い込み側端部１０の表面に固定されるものである。収容部３４の内部は、マグネット６と同一又はほぼ同一の内径及びマグネット６と同一又はほぼ同一の深さを有するように形成することができる。
【００２２】
図２２及び図２３は本発明の粉ミルク取り出しガイド１ａであり、マグネット６を利用して缶３の側面内側に取り付けて使用するものを示す図である。すなわち、薄く柔軟なしかも例えば可撓性を有する素材（例えばポリプロピレンなどの樹脂材料）を用いて長方形シート状に形成されたガイド本体９の排出側端部１１の両側が、第１の係合突部１９及び第２の係合突部２６同士を引っ掛け係合することにより接続されて（図１６及び図１７に示すとおり）、ガイド本体９の排出側は、表面ｃを内側とする環状に形成され（ガイド本体９の弾性復帰力により環状に保持される）、ガイド本体９の誘い込み側端部１０は緩く湾曲している。
【００２３】
図２４及び図２５は、実際に本製品１ａをマグネット６にて粉ミルク缶３に取り付けた状態で、缶３の内面８に隙間無く粉ミルク取り出しガイド１ａが密着している様子が見て取れる。すなわち、ガイド本体１の排出側が缶３の内向きの縁４に載った状態で、誘い込み側端部１０が、缶３に引き寄せられる表面ｃ側のマグネット６に押されて、図３０に示すように、缶３の側壁内面８に全幅にわたって密着し、取り付けガイド１ａにより、缶３の側壁内面８から縁４を越えて外側に延びる排出路が形成される。ここでは、取り付けガイド１ａは、マグネット６により缶３に容易にずれないように取り付けられる。
【００２４】
図２６及び図２７は、実際に本製品１ａを粉ミルク缶３に取り付けて粉ミルク５が排出される様子を示すものであり、缶３を斜めにしたり軽く缶３を叩いたりして粉ミルク５を排出する。この様に、缶３の縁４に邪魔される事無くスムーズに粉ミルク５を使い切る事が可能となる。
【産業上の利用可能性】
【００２５】
缶の縁に遮られてなかなか最後まで粉ミルクを使い切るのが困難だという意見は多く、メーカーに改善策を求める声も聞かれるとの事。よって本発明は需要が多く有ることが予想できる。また本製品が流通する事により粉ミルクメーカーも早急な改善策の必要が無くなり新たな開発に掛かるコストを抑える事が出来る。
【符号の説明】
【００２６】
１            粉ミルク取り出しガイド
１ａ          別の粉ミルク取り出しガイド
２            粉ミルク缶取り付け把持部
３            粉ミルク缶
４            粉ミルク缶の縁部又は縁
５            粉ミルク
６            マグネット
ａ            粉ミルク取り出しガイドと粉ミルク缶内面との接面部
ｂ            粉ミルク取り出しガイド排出口筒状固定部
【図２】
2010235207.tif 000003
【図３】
2010235207.tif 000004
【図５】
2010235207.tif 000005
【図６】
2010235207.tif 000006
【図７】
2010235207.tif 000007
【図９】
2010235207.tif 000008
【図１１】
2010235207.tif 000009
【図１３】
2010235207.tif 000010
【図１５】
2010235207.tif 000011
【図１６】
2010235207.tif 000012
【図１７】
2010235207.tif 000013
【図１８】
2010235207.tif 000014
【図１９】
2010235207.tif 000015
【図２１】
2010235207.tif 000016
【図２３】
2010235207.tif 000017
【図２５】
2010235207.tif 000018
【図２７】
2010235207.tif 000019
【図２８】
2010235207.tif 000020
【図２９】
2010235207.tif 000021
【図３０】
2010235207.tif 000022
【図１】
2010235207.tif 000023
【図４】
2010235207.tif 000024
【図８】
2010235207.tif 000025
【図１０】
2010235207.tif 000026
【図１２】
2010235207.tif 000027
【図１４】
2010235207.tif 000028
【図２０】
2010235207.tif 000029
【図２２】
2010235207.tif 000030
【図２４】
2010235207.tif 000031
【図２６】
2010235207.tif 000032